(57)【要約】【課題】  仕様変更や多仕様対応が容易な可倒式アンテナ装置を提供すること。【解決手段】  第１ブラケット（１１）の垂直部（１１ａ）にはピンガイドプレート（１０）が取付けられピンガイドプレートにはガイド穴（１００）が形成されている。第１ブラケットの垂直部にはボルト（１４）の先端部が螺合され、アンテナ組立体（１）が取付けられるアンテナ取付け部材（２）の第２部分（２ｂ）がピンガイドプレートを介して第１ブラケットの垂直部に対して締め付けられる。ピンガイドプレートのガイド穴にアンテナ取付け部材に固定されているピン（９）が係合する。ピンガイドプレートのガイド穴を変更するだけで仕様変更ができる。【選択図】      図１
2006115211.tif 000002
【特許請求の範囲】
【請求項１】
可倒式アンテナ装置であって、
アンテナ（１）が結合されるアンテナ取付け部材（２）を、被装着部材に固定されるベース部材（２０）に、アンテナの回動角度を規制する角度規制部材を介装して、回動可能に締め付け結合して成り、
角度規制部材は、アンテナ取付け部材（２）とベース部材（２０）の一方に固定されピンガイド穴（１００）が形成されているピンガイドプレート（１０）と、アンテナ取付け部材（２）とベース部材（２０）の他方に固定されピンガイドプレート（１０）に形成されているピンガイド穴（１００）に係合するピンから成り、
ピンガイドプレート（１０）が単独に作成され、その後、アンテナ取付け部材（２）とベース部材（２０）の一方に係止される、
ことを特徴とする可倒式アンテナ装置。
【請求項２】
アンテナ取付け部材（２）は、アンテナ（１）が挿入され螺合される第１穴（３ａ）と、第１穴（３ａ）に対して直角に配置され、かつ、第１穴（３ａ）と連通する第２穴（３ｂ）を有し、
第２穴（３ｂ）には締め付け用のボルト（１４）が挿入され、
第１穴（３ａ）に挿入され螺合されたアンテナ（１）の端部と第２穴（３ｂ）に挿入されている締め付け用のボルト（１４）の外面の間にスプリング（６）が配設されている、
ことを特徴とする請求項１に記載の可倒式アンテナ装置。
【請求項３】
第２穴（３ｂ）が長円形の断面を有する、ことを特徴とする請求項２に記載の可倒式アンテナ装置。
【請求項４】
第１穴（３ａ）に挿入され螺合されたアンテナ（１）の端部の周縁にＯリング（４）が配設され、Ｏリング（４）とスプリング（６）の間にスプリング受板（５）が配設されている、ことを特徴とする請求項２に記載の可倒式アンテナ装置。
【請求項５】
スプリング（６）がコイルスプリングである、ことを特徴とする請求項２に記載の可倒式アンテナ装置。
【請求項６】
ピンガイド穴（１００）は円弧部分（１３０）と、円弧部分（１３０）の両端で、中心に向かって形成された切り込み（１１０、１２０）を含む、ことを特徴とする請求項１に記載の可倒式アンテナ装置。
【請求項７】
ピンガイドプレート（１０）がベース部材（２０）の一方に係止されている、ことを特徴とする請求項１に記載の可倒式アンテナ装置。
【発明の詳細な説明】
【技術分野】
【０００１】
本発明は車両の屋根等に取付けられ必要に応じて倒すことができる可倒式アンテナ装置に関する。
【背景技術】
【０００２】
車両の屋根等に取付けられ、収納はされないが、必要に応じて倒すことができる可倒式アンテナ装置がある。例えば、特許文献１に記載の装置がある。同公報の装置では、アンテナ取付部材にスプリングで押圧されるボールを取付けられ、それが車両に取付けられる部材状のベース部材に対し回動可能に取付けられている。そして、ベース部材にボールが半分係合する溝が刻設されていて、固定すべきアンテナ角度位置に対応して溝が深くされている。
【０００３】
上記特許文献１の装置では、固定すべきアンテナ角度位置が異なるものを製造する場合には、部材状のベース部材を対応した溝を備えるように変更しなければならない。あるいは、ベースカバー部材の形状変更が必要となってしまう。したがって、仕様変更、あるいは、多仕様対応に手間がかかるという問題がある。
【０００４】
【特許文献１】特開２００２−３４４２１８号公報
【発明の開示】
【発明が解決しようとする課題】
【０００５】
本発明は、上記問題に鑑み、仕様変更、あるいは、多仕様対応が容易な可倒式アンテナ装置を提供することを目的とする。
【課題を解決するための手段】
【０００６】
請求項１の発明によれば、可倒式アンテナ装置であって、
アンテナが結合されるアンテナ取付け部材を、被装着部材に固定されるベース部材に、アンテナの回動角度を規制する角度規制部材を介装して、回動可能に締め付け結合して成り、
角度規制部材は、アンテナ取付け部材とベース部材の一方に固定されピンガイド穴が形成されているピンガイドプレートと、アンテナ取付け部材とベース部材の他方に固定されピンガイドプレートに形成されているピンガイド穴に係合するピンから成り、
ピンガイドプレートが単独に作成され、その後、アンテナ取付け部材とベース部材の一方に係止される、ことを特徴とする可倒式アンテナ装置が提供される。
【０００７】
請求項２の発明によれば、請求項１の発明において、アンテナ取付け部材は、アンテナが挿入され螺合される第１穴と、第１穴に対して直角に配置され、かつ、第１穴と連通する第２穴を有し、
第２穴には締め付け用のボルトが挿入され、
第１穴に挿入され螺合されたアンテナの端部と第２穴に挿入されている締め付け用のボルトの外面の間にスプリングが配設されている。
【０００８】
請求項３の発明によれば、請求項２の発明において、第２穴が長円形の断面を有している。
請求項４の発明によれば、請求項２の発明において、第１穴に挿入され螺合されたアンテナの端部の周縁にＯリングが配設され、Ｏリングとスプリングの間にスプリング受板が配設されている。
請求項５の発明によれば、請求項２の発明において、スプリングがコイルスプリングとされている。
【０００９】
請求項６の発明によれば、請求項１の発明において、ピンガイド穴は円弧部分と、円弧部分の両端で、中心に向かって形成された切り込みを含んで形成されている。
請求項７の発明によれば、請求項１の発明において、ピンガイドプレートがベース部材に係止されている。
【発明の効果】
【００１０】
本発明の各請求項に記載の発明による可倒式アンテナ装置では、アンテナが結合されるアンテナ取付け部材を、被装着部材に固定されるベース部材に、アンテナの回動角度を規制する角度規制部材を介装して、回動可能に締め付け結合して成り、角度規制部材は、アンテナ取付け部材とベース部材の一方に固定されピンガイド穴が形成されているピンガイドプレートと、アンテナ取付け部材とベース部材の他方に固定されピンガイドプレートに形成されているピンガイド穴に係合するピンから成るが、ピンガイドプレートが単独に作成され、その後、アンテナ取付け部材とベース部材の一方に係止される、したがって、ピンガイドプレートを取り替えるだけで可倒角度を変更できる。
【発明を実施するための最良の形態】
【００１１】
以下、添付の図面を参照して本発明の実施の形態を説明する。
図１は本発明による車両用のアンテナ取付け装置の断面図であり、図２は分解組立図である。アンテナロッド１ａがアンテナカプラー１ｂに結合され、このアンテナロッド１ａとアンテナカプラー１ｂがアンテナカバー１ｃで覆われている。これらアンテナロッド１ａとアンテナカプラー１ｂとアンテナカバー１ｃを合わせてアンテナ組立体１という。
【００１２】
アンテナ取付け部材２は、図中上下方向に延伸する第１部分２ａと、図中第１部分の下側に連続形成され図中左右方向に延伸する第２部分２ｂを有する。第１部分２ａにはアンテナロッド１ａの延伸方向と同じ方向に延伸する第１穴３ａが形成されている。そして、第１穴３ａの延伸方向に直角に延伸する第２穴３ｂが第１穴３ａに連通して形成され、第２穴３ｂは断面が長円（図３参照）とされしている。
また、アンテナ取付け部材２の図中第２穴３ｂよりも下側の左端面にはピン９が固定されている。そして、アンテナ取付け部材２の外側はカバー部材８で覆われている。
【００１３】
第１穴３ａにアンテナ組立体１のアンテナカプラー１ｂの先端部が螺合されている。アンテナカプラー１ｂの先端の外縁に沿うようにＯリング４が配設されている。Ｏリング４の図中下側にはスプリング受板５が配設されている。一方、第２穴３ｂ内にはカラー７で覆われたボルト１４が貫通配置されている。
【００１４】
カラー７で覆われたボルト１４の表面とスプリング受板５の間にコイルスプリング６が配設されている。コイルスプリング６は第１穴３ａの長手方向に付勢力を発生する。この付勢力は一方ではスプリング受板５とＯリング４を介してアンテナカプラー１ｂに作用してアンテナカプラー１ｂの緩みを防止し、他方ではボルト１４を常にピン９の方向に押圧する。
【００１５】
一方、図示しない車両の屋根に図示しない適切な方法で固定されるベース部材２０に、第１ブラケット１１が埋めこみ成形で結合されている。第１ブラケット１１は垂直部１１ａと水平部１１ｂを有する。第１ブラケット１１の垂直部１１ａの図中右側にはピンガイドプレート１０が取付けられている。ピンガイドプレート１０は単品で独立的に製造されるが上端部が折り曲げ成形され、その折り曲げられた部分が第１ブラケット１１の垂直部１１ａの上端部に形成された凹部に係合せしめられており、第１ブラケット１１の垂直部１１ａに対して位置不動にされる。ピンガイドプレート１０にはガイド穴１００が形成されている。
【００１６】
第１ブラケット１１の垂直部１１ａにはボルト１４の先端部が螺合され、アンテナ取付け部材２の第２部分２ｂがピンガイドプレート１０を介して第１ブラケット１１の垂直部１１ａに対して締め付けられる。ピンガイドプレート１０に形成されているガイド穴１００にアンテナ取付け部材２に固定されているピン９が係合する。
【００１７】
なお、ボルト１４の図中右端の頭部に接してスプリングワッシャ１３が配設され、スプリングワッシャ１３とアンテナ取付け部材２の第２部分２ｂの間には第２ブラケット１２が介装されている。第２ブラケット１２の下端部はベース部材２０の上面に形成された位置決め部２１に当接せしめられている。ボルト１４の緩み防止のために第１ブラケット１１の垂直部１１ａの軸方向外側にナット１５が設けられている。
【００１８】
上記のようにアンテナ取付け部材２の第２部分２ｂが第１ブラケット１１の垂直部１１ａに取付けられるが、洗車等の際にアンテナ組立体１が第１ブラケット１１に対して回動できるように締め付けトルクが調整される。なお、ベースカバー２２によりアンテナ取付け部材２の第２部分２ｂから下の部分が覆われている。
【００１９】
図３はアンテナ組立体１が通常の使用位置にあるときのピンガイドプレート１０とアンテナ取付け部材２の関係を示す図である。ピンガイドプレート１０に形成されているガイド穴１００は図示されるように約１２０度の範囲にわたってボルト１４の回転中心に対して同心に形成されており、その下側の端部と上側の端部に、それぞれ、中心に向かう第１切り込み１１０、第２切り込み１２０が形成されている。
【００２０】
アンテナ組立体１を通常の使用位置（角度位置）に回転させると、スプリング６の付勢力によりアンテナ取付け部材２はボルト１４から離間する方向に押圧される。その結果、アンテナ取付け部材２に固定されているピン９はガイド穴１００の第１切り込み１１０に係合する。一旦、第１切り込み１１０に係合するとアンテナ取付け部材２をスプリング６の付勢力に抗して押して回さない限りアンテナ組立体１は回転しない。
【００２１】
図４は車両を洗車機で洗車するに際してアンテナ組立体１を車両に屋根に平行になるように倒す場合の手順を示す図である。まず、図３に示した角度位置においてアンテナ取付け部材２をアンテナ組立体１の軸線に沿って矢印の方向にボルト１４に向けて押し込む。すると図４の（Ａ）に示されるようにピン９はガイド穴１００の第１切り込み１１０から脱出する。上記のように押し込んだ状態で図中反時計回りにアンテナ組立体１を回転せしめると図４の（Ｂ）に示されるようにピン９はガイド穴１００の中央部分１３０にそって移動する。なお、第１切り込み１１０から中央部分１３０に入った後は押し込む必要はない。さらにアンテナ組立体１を回転せしめると図４の（Ｃ）に示されるようにピン９は第２切り込み１２０の角度位置に達し、自動的に第２切り込み１２０に係合し、この角度位置で保持される。なお、第１切り込み１１０を浅くして、単にアンテナ組立体１を所定の力以上で回すだけでスプリング６の付勢力に抗してピン９が第１切り込み１１０を脱出できるようにしてもよい。
【００２２】
この（Ｃ）の状態から（Ａ）の状態に戻すには（Ｃ）の状態でアンテナ取付け部材２をアンテナ組立体１の軸線に沿って矢印の方向にボルト１４に向けて押し込み、ピン９はガイド穴１００の第２切り込み１２０から脱出させてから、図中時計回り方向に回転せしめればよい。なお、第２切り込み１２０を浅くして、単にアンテナ組立体１を所定の力以上で回すだけでスプリング６の付勢力に抗してピン９が第２切り込み１２０を脱出できるようにしてもよい。
【産業上の利用可能性】
【００２３】
本発明は可倒式アンテナ装置に適用されるが、同じような構造を有する他の装置に適用することも可能である。
【図面の簡単な説明】
【００２４】
【図１】本発明の実施の形態の可倒式アンテナ装置の断面図である。
【図２】図１の可倒式アンテナ装置の分解組立図である。
【図３】通常の使用状態におけるピンガイドプレートとアンテナ取付け部材の位置関係を示す図である。
【図４】アンテナを倒すときの状態を説明する図であって、（Ａ）は通常の使用状態と同じ角度位置でアンテナを押し込んだ様子を示し、（Ｂ）は（Ａ）の状態から途中まで倒した時の様子を示し、（Ｃ）はアンテナが略水平になるようにフルに倒した時の様子を示している。
【符号の説明】
【００２５】
１    アンテナ組立体
１ａ    アンテナロッド
１ｂ    アンテナカプラー
１ｃ    アンテナカバー
２    アンテナ取付け部材
３ａ    第１穴
３ｂ    第２穴
４    Ｏリング
５    スプリング受板
６    スプリング
７    カラー
８    カバー部材
９    ピン
１０    ピンガイドプレート
１１    第１ブラケット
１２    第２ブラケット
１３    スプリングワッシャ
１４    ボルト
１５    ナット
２０    ベース部材
２２    ベースカバー
１００    ガイド穴
１１０    第１切り込み
１２０    第２切り込み
【図１】
2006115211.tif 000003
【図２】
2006115211.tif 000004
【図３】
2006115211.tif 000005
【図４】
2006115211.tif 000006